(57)【要約】【課題】構成を簡素化して被施療部を効率よくマッサージすることができるマッサージユニットを提供することを課題とする。【解決手段】被施療部が収納され、底面１０と底面１０の両側から立設された側壁１２とから構成された凹状受部６と、凹状受部６の相対向する側壁１２の一側壁に配置されたエアバッグ１３と、凹状受部６の両側及び底面１０に配置された被施療部押圧部材１４，１５とを備え、両側に配置された何れか一方の被施療部押圧部材１５と底面１０に配置された被施療部押圧部材１５とを連通させると共に、この連通させた被施療部押圧部材１５内に流動体を封入する。【選択図】        図２
2005237722.tif 000002
【特許請求の範囲】
【請求項１】
被施療部が収納され、底面と底面の両側から立設された側壁とから構成された凹状受部と、凹状受部の相対向する側壁の一側壁に配置されたエアバッグと、凹状受部の両側及び底面に配置された被施療部押圧部材とを備え、前記両側に配置された何れか一方の被施療部押圧部材と底面に配置された被施療部押圧部材とを連通させると共に、この連通させた被施療部押圧部材内に流動体を封入したことを特徴とするマッサージユニット。
【請求項２】
被施療部が収納され、底面と底面の両側から立設された側壁とから構成された凹状受部と、凹状受部の相対向する側壁の一側壁に配置されたエアバッグと、凹状受部の他側壁及び底面に配置された被施療部押圧部材とを備え、前記他側壁に配置された被施療部押圧部材と底面に配置された被施療部押圧部材とを連通させると共に、この連通させた被施療部押圧部材内に流動体を封入したことを特徴とするマッサージユニット。
【請求項３】
被施療部が収納され、底面と底面の両側から立設された側壁とから構成された凹状受部と、凹状受部の底面に配置されたエアバッグと、凹状受部の両側及び底面に配置された被施療部押圧部材とを備え、前記両側に配置された何れか一方の被施療部押圧部材と底面に配置された被施療部押圧部材とを連通させると共に、この連通させた被施療部押圧部材内に流動体を封入したことを特徴とするマッサージユニット。
【請求項４】
被施療部が収納され、底面と底面の両側から立設された側壁とから構成された凹状受部と、凹状受部の相対向する側壁の一側壁に配置されたエアバッグと、凹状受部の両側及び底面に配置された被施療部押圧部材とを備え、前記両側に配置された被施療部押圧部材と底面に配置された被施療部押圧部材とを連通させると共に、この連通させた被施療部押圧部材内に流動体を封入したことを特徴とするマッサージユニット。
【請求項５】
被施療部が収納され、底面と底面の両側から立設された側壁とから構成された凹状受部と、凹状受部の底面に配置されたエアバッグと、凹状受部の両側及び底面に配置された被施療部押圧部材とを備え、前記両側に配置された被施療部押圧部材と底面に配置された被施療部押圧部材とを連通させると共に、この連通させた被施療部押圧部材内に流動体を封入したことを特徴とするマッサージユニット。
【請求項６】
前記流動体は、空気により構成されていることを特徴とする請求項１乃至請求項５の何れか１項に記載のマッサージユニット。
【発明の詳細な説明】
【技術分野】
【０００１】
本発明は、被施療部を収納する凹状受部内でエアバッグの膨張・収縮により被施療部にマッサージを施すマッサージユニットに関する。
【背景技術】
【０００２】
この種のマッサージユニットにおいては、被施療者が腰掛ける椅子の座部及び背凭れ部を有する椅子式マッサージ機において、背凭れ部と反対側の座部にふくらはぎを収納する一対の凹状のレッグレストを連結し、一対の凹状のレッグレストの夫々底面及び両側面の３面にエアバッグを配置することにより、凹状内の夫々３面からふくらはぎにエアバッグによるマッサージを施すものが知られている（例えば、特許文献１参照）。
【０００３】
しかしながら、エアーポンプから供給される空気を電磁弁などにより分配して凹状の底面及び両側面の３面に配置されたエアバッグに夫々供給するため、構成及び制御が複雑化する欠点があった。
【特許文献１】特開２００２−２３８９６３号公報
【発明の開示】
【発明が解決しようとする課題】
【０００４】
本発明はこのような課題を解決するためになされたものであり、構成を簡素化して被施療部を効率よくマッサージすることができるマッサージユニットを提供することを課題とする。
【課題を解決するための手段】
【０００５】
上記課題を解決するための第１の手段は、被施療部が収納され、底面と底面の両側から立設された側壁とから構成された凹状受部と、凹状受部の相対向する側壁の一側壁に配置されたエアバッグと、凹状受部の両側及び底面に配置された被施療部押圧部材とを備え、前記両側に配置された何れか一方の被施療部押圧部材と底面に配置された被施療部押圧部材とを連通させると共に、この連通させた被施療部押圧部材内に流動体を封入したことを特徴とする。
【０００６】
上記課題を解決するための第２の手段は、被施療部が収納され、底面と底面の両側から立設された側壁とから構成された凹状受部と、凹状受部の相対向する側壁の一側壁に配置されたエアバッグと、凹状受部の他側壁及び底面に配置された被施療部押圧部材とを備え、前記他側壁に配置された被施療部押圧部材と底面に配置された被施療部押圧部材とを連通させると共に、この連通させた被施療部押圧部材内に流動体を封入したことを特徴とする。
【０００７】
上記課題を解決するための第３の手段は、被施療部が収納され、底面と底面の両側から立設された側壁とから構成された凹状受部と、凹状受部の底面に配置されたエアバッグと、凹状受部の両側及び底面に配置された被施療部押圧部材とを備え、前記両側に配置された何れか一方の被施療部押圧部材と底面に配置された被施療部押圧部材とを連通させると共に、この連通させた被施療部押圧部材内に流動体を封入したことを特徴とする。
【０００８】
上記課題を解決するための第４の手段は、被施療部が収納され、底面と底面の両側から立設された側壁とから構成された凹状受部と、凹状受部の相対向する側壁の一側壁に配置されたエアバッグと、凹状受部の両側及び底面に配置された被施療部押圧部材とを備え、前記両側に配置された被施療部押圧部材と底面に配置された被施療部押圧部材とを連通さ
せると共に、この連通させた被施療部押圧部材内に流動体を封入したことを特徴とする。
【０００９】
上記課題を解決するための第５の手段は、被施療部が収納され、底面と底面の両側から立設された側壁とから構成された凹状受部と、凹状受部の底面に配置されたエアバッグと、凹状受部の両側及び底面に配置された被施療部押圧部材とを備え、前記両側に配置された被施療部押圧部材と底面に配置された被施療部押圧部材とを連通させると共に、この連通させた被施療部押圧部材内に流動体を封入したことを特徴とする。
【００１０】
上記課題を解決するための第１の手段乃至第５の手段において、前記流動体は、空気により構成されていることが好ましい。
【発明の効果】
【００１１】
本発明の請求項１乃至請求項５の構成によれば、簡単な構成により凹状受部の底面及び両側壁の夫々３方向から被施療部を効率よくマッサージすることができる等の効果を奏する。
【００１２】
本発明の請求項６の構成によれば、被施療部押圧部材内に封入される流動体として空気を使用しているため、被施療部押圧部材を容易に構成することができると共に、流動性を向上させることができる。
【発明を実施するための最良の形態】
【００１３】
（第１実施形態）
本発明を実施するための第１実施形態のマッサージユニットを図１乃至図３に示した椅子式マッサージ機の脚部マッサージユニットに載置した形態に基づいて以下に詳述する。
【００１４】
椅子式マッサージ機は、被施療者が腰掛ける座部１と、座部１の一側に回動自在に連結された背凭れ部２と、背凭れ部２に配置された左右一対の施療指３を有する背中マッサージユニット４と、座部１の他側に連結され、被施療者のふくらはぎ５を収納する一対の樋状の凹状受部６を有する脚部マッサージユニット７と、脚部マッサージユニット７に連結された足先用マッサージユニット８とから構成されている（図１参照）。
【００１５】
背中マッサージユニット４は、背凭れ部２に沿って上下に昇降可能であり、施療指３を互いに接近離間して被施療者に揉みマッサージを施したり、上下に揺動して叩きマッサージを施すことができるようになっており、背凭れ部２の前面に装着される図示しない布カバーにより覆われている。また、足先用マッサージユニット８は、図示しないエアバッグの膨張・収縮により足先にマッサージを施すことができるようになっている。
【００１６】
脚部マッサージユニット７は、連結フレーム９を介して座部１に回動自在且つ任意の角度で位置決め可能に連結されている。脚部マッサージユニット７には一対の樋状の凹状受部６が形成されており、各凹状受部６の底面１０に底面弾性部材１１、各凹状受部６の一方の側壁１２に側面エアバッグ１３、他方の側壁１２に被施療部押圧部材としての側面弾性部材１４が夫々配置されている。
【００１７】
側面エアバック１３は、図示しないバルブを介して図示しないエアーポンプに接続され、エアーポンプからの空気の供給を受けて膨張する。底面弾性部材１１及び側面弾性部材１４は側面エアバック１３を膨張させたときに、被施療者のふくらはぎ５が埋没する程度の弾力性を有するものを用いることが望ましく、ウレタン樹脂やスポンジ、発泡樹脂等から構成されている。
【００１８】
また、側面エアバッグ１３及び底面弾性部材１１の内側には側面エアバッグ１３及び底
面弾性部材１１を覆う略Ｌ字状の被施療部押圧部材としてのクッション部材１５が配置されている。クッション部材１５の内部には流動体である空気が封入されている。クッション部材１５は側面エアバッグ１３、側面弾性部材１４と共に、図示しない布カバーにより覆われることにより凹状受部６内に保持されている。
【００１９】
このように構成された脚部マッサージユニット７は、被施療者がふくらはぎ５を凹状受部６内に挿入し側面エアバッグ１３を膨張させると、側面エアバッグ１３の膨張に伴いクッション部材１５を介してふくらはぎ５の一側面は押圧されると共に、ふくらはぎ５の他側面は側面弾性部材１４に押し付けられる。また、クッション部材１５内の流動体が側面エアバッグ１３側から底面弾性部材１１側へ流れて、クッション部材１５はふくらはぎ５の裏を押圧する。
【００２０】
この結果、一つの側面エアバッグ１３を膨張・収縮させるという簡単な構成により、ふくらはぎ５を底面１０側及び両側壁１２側の夫々３面から効率よくマッサージすることができる。また、クッション部材１５の流動体として空気を使用しているため、クッション部材１５を容易に構成することができると共に、流動性が向上する。
【００２１】
尚、第１実施形態では、凹状受部６の底面１０に底面弾性部材１１を配置したが、この構成に限定されるものではない。底面弾性部材１１を廃止した構成にしてもよい。
【００２２】
また、第１実施形態では、クッション部材１５を側面エアバッグ１３及び底面弾性部材１１を覆う略Ｌ字状に形成したが、この構成に限定されるものではない。図３に示すように凹状受部６の底面１０及び両側壁１２の３面を覆う略Ｕ字状にクッション部材１５を形成してもよい。この構成により、凹状受部６の３方向から略均等に押圧力がかかるようになるため、より快適で心地よいマッサージを施すことができる。
【００２３】
また、第１実施形態では、側面弾性部材１４を他方の側壁１２に配置したが、側面エアバッグ１３の内側に側面弾性部材１４を配置すると共に、底面１０及び他方の側壁１２を覆う略逆Ｌ字状のクッション部材１５を配置してもよい。また、クッション部材１５に封入する流動体としては空気に換えてジェル状の流動体を使用してもよい。
【００２４】
また、第１実施形態では、本発明のマッサージユニットの構成を脚部マッサージユニット７にて実施したが、その他の被施療部のマッサージユニット、例えば、足先用マッサージユニット８で実施してもよい。
【００２５】
（第２実施形態）
図４は、本発明を実施するための第２実施形態のマッサージユニットを脚部マッサージユニットに載置した形態を示している。尚、第１実施形態と同一部品については同一符号を付して説明を省略する。
【００２６】
第２実施形態の脚部マッサージユニット７ａは、側面弾性部材１４及び底面弾性部材１１を覆う略逆Ｌ字状のクッション部材１５を配置した構成になっている。
【００２７】
このように構成された脚部マッサージユニット７は、被施療者がふくらはぎ５を凹状受部６内に挿入し側面エアバッグ１３を膨張させると、側面エアバッグ１３の膨張に伴いふくらはぎ５の一側面が押圧されると共に、ふくらはぎ５の他側面がクッション部材１５に押圧される。この時、クッション部材１５内の他方の側壁１２側の流動体が底面弾性部材１１側へ流れてクッション部材１５はふくらはぎ５の裏を押圧する。この結果、一つの側面エアバッグ１３を膨張・収縮させるという簡単な構成により、ふくらはぎ５を底面１０側及び両側壁１２側の夫々３面から効率よくマッサージすることができる。
【００２８】
尚、第２実施形態において、第１実施形態と同様に、底面弾性部材１１を廃止した構成にしてもよい。
【００２９】
また、第２実施形態において、側面弾性部材１４を廃止した構成にしてもよい。
【００３０】
（第３実施形態）
図５は、本発明を実施するための第３実施形態のマッサージユニットを脚部マッサージユニットに載置した形態を示している。尚、第１実施形態及び第２実施形態と同一部品については同一符号を付して説明を省略する。
【００３１】
第３実施形態の脚部マッサージユニット７ｂは、底面１０に図示しないエアーポンプからの空気の供給を受けて膨張する底面エアバッグ１６を配置すると共に、凹状受部６の両側壁１２に一対の側面弾性部材１４を配置した構成になっている。また、一側壁側の側面弾性部材１４及び底面エアバッグ１６を覆う略Ｌ字状のクッション部材１５が配置されている。
【００３２】
このように構成された脚部マッサージユニット７は、被施療者がふくらはぎ５を凹状受部６内に挿入し底面エアバッグ１６を膨張させると、底面エアバッグ１６の膨張に伴いふくらはぎ５の裏は押圧されると共に、クッション部材１５内の流動体が一方の側面弾性部材１４側へ流れる。そして、ふくらはぎ５の一方側はクッション部材１５により押圧され、他方側は側面弾性部材１４へ押し付けられる。この結果、一つの底面エアバッグ１６を膨張・収縮させるという簡単な構成により、ふくらはぎ５を底面１０側及び両側壁１２側の夫々３面から効率よくをマッサージすることができる。
【００３３】
尚、第３実施形態において、クッション部材１５が配置された側の側面弾性部材１４を廃止した構成にしてもよい。。
【００３４】
また、第３実施形態において、第１実施形態と同様に、凹状受部６の底面１０及び両側壁１２の夫々３面を覆う略Ｕ字状にクッション部材１５を形成してもよい。この構成により、凹状受部６の３方向から略均等に押圧力がかかるようになるため、より快適で心地よいマッサージを施すことができる。
【００３５】
尚、以上の第１実施形態乃至第３実施形態では、エアバッグを凹状受部６の一方の側壁１２のみ、または、底面１０のみに配置したが、必要に応じて両方に配置してもよい。また、一方の側壁１２のみではなく両側壁１２に配置してもよい。
【図面の簡単な説明】
【００３６】
【図１】本発明を実施するための第１実施形態のマッサージユニットを載置した脚部マッサージユニットを椅子に装着した椅子式マッサージ機の斜視図である。
【図２】同本発明のマッサージユニットを載置した脚部マッサージユニットの平面図である。
【図３】同本発明のマッサージユニットを載置した脚部マッサージユニットの変形例の平面図である。
【図４】本発明を実施するための第２実施形態のマッサージユニットを載置した脚部マッサージユニットの平面図である。
【図５】本発明を実施するための第３実施形態のマッサージユニットを載置した脚部マッサージユニットの平面図である。
【符号の説明】
【００３７】
５    ふくらはぎ
６    凹状受部
７    脚部マッサージユニット
１０  底面
１１  底面弾性部材
１２  側壁
１３  側面エアバッグ
１４  側面弾性部材（被施療部押圧部材）
１５  クッション部材（被施療部押圧部材）
１６  底面エアバッグ
【図１】
2005237722.tif 000003
【図２】
2005237722.tif 000004
【図３】
2005237722.tif 000005
【図４】
2005237722.tif 000006
【図５】
2005237722.tif 000007